(57)【要約】【課題】ずれにくく、手に対するフィット感のさらなる向上を図れる手袋を提供する。【解決手段】手の甲側であって、親指部２と人差し指部３との付け根Ｐ１を基点とする親指辺５の延長線Ｌ１と、付け根Ｐ１を基点とする人差し指辺６の延長線Ｌ２と、中指部４と薬指部１０との付け根Ｐ２を基点とする中指部辺７の延長線Ｌ３と、で囲まれた領域Ｓに、一端が付け根Ｐ１に指向し、他端が手首部に指向する弾性帯部材８を備え、手に装着したときに、弾性帯部材８の弾性復元力により、付け根Ｐ１が手首側に引き寄せられる。弾性帯部材８は、甲の生地の裏側に縫合されたゴム部材からなる。【選択図】図１
2016196720.tif 000002
【特許請求の範囲】
【請求項１】
手の甲側であって、親指部と人差し指部との付け根Ｐ１を基点とする親指辺の延長線Ｌ１と、付け根Ｐ１を基点とする人差し指辺の延長線Ｌ２と、中指部と薬指部との付け根Ｐ２を基点とする中指部辺の延長線Ｌ３と、で囲まれた領域Ｓに、
一端が付け根Ｐ１に指向し、他端が手首部に指向する弾性帯部材を備え、
手に装着したときに、前記弾性帯部材の弾性復元力により、付け根Ｐ１が手首側に引き寄せられることを特徴とする手袋。
【請求項２】
前記延長線Ｌ１と前記延長線Ｌ２との交差角度をθとしたとき、
前記弾性帯部材は、前記延長線Ｌ１と交差角度θ／４をなす延長線Ｌ１´と、前記延長線Ｌ２と交差角度θ／４をなす延長線Ｌ２´とに挟まれた領域Ｓ´に位置していることを特徴とする請求項１に記載の手袋。
【請求項３】
付け根Ｐ１と前記弾性帯部材の一端との距離が、５〜２０ｍｍの範囲であることを特徴とする請求項１または請求項２に記載の手袋。
【請求項４】
前記弾性帯部材は、甲の生地の裏側に縫合されたゴム部材であることを特徴とする請求項１ないし請求項３のいずれか一項に記載の手袋。
【発明の詳細な説明】
【技術分野】
【０００１】
本発明は、作業用手袋等の手袋に関する。
【背景技術】
【０００２】
作業用手袋を使用した作業例としては、運送業における荷の受け渡し作業、積み卸し作業等があり、作業中に手袋が次第にずれてくると、受け渡し、積み卸しの合間ごとにそのずれを直すといった煩わしさを生じ、作業の迅速性が損なわれるという問題がある。この問題に対し、特許文献１には、手の甲側表面において、親指の付け根部近傍から小指側の手首側面部近傍まで斜めにわたって、弾性層帯を形成した作業用手袋について記載されている。
【先行技術文献】
【特許文献】
【０００３】
【特許文献１】特開平１１−３６１１５号公報
【発明の概要】
【発明が解決しようとする課題】
【０００４】
手の動きにより、手袋の生地の伸縮の最も大きい部分は、手の甲側で親指と人差し指との間の付け根あたりであり、手袋は、親指と人差し指との間を開いたり閉じたりしたときの付け根の伸縮動作に引っ張られるかたちで次第にずれ、指先が余ってきてフィット感が損なわれるという問題がある。
【０００５】
本発明はこのような課題を解決するために創作されたものであり、ずれにくく、手に対するフィット感のさらなる向上を図れる手袋を提供することを目的とする。
【課題を解決するための手段】
【０００６】
前記課題を解決するため、本発明は、手の甲側であって、親指部と人差し指部との付け根Ｐ１を基点とする親指辺の延長線Ｌ１と、付け根Ｐ１を基点とする人差し指辺の延長線Ｌ２と、中指部と薬指部との付け根Ｐ２を基点とする中指部辺の延長線Ｌ３と、で囲まれた領域Ｓに、一端が付け根Ｐ１に指向し、他端が手首部に指向する弾性帯部材を備え、手に装着したときに、前記弾性帯部材の弾性復元力により、付け根Ｐ１が手首側に引き寄せられることを特徴とする。
【０００７】
本発明の手袋によれば、弾性帯部材は、延長線Ｌ１と延長線Ｌ２と延長線Ｌ３とで囲まれた領域Ｓに、一端が付け根Ｐ１に指向し、他端が手首部に指向するように配置されているので、付け根Ｐ１が効率良く手首側に引き寄せられる。これにより、物をつかんだり離したりの動作を繰り返し行い、付け根Ｐ１周りが次第に手からずれていきそうになっても、手袋の付け根Ｐ１のずれを阻止でき、手に対する良好なフィット感を維持できる。
【０００８】
また、本発明は、前記延長線Ｌ１と前記延長線Ｌ２との交差角度をθとしたとき、前記弾性帯部材は、前記延長線Ｌ１と交差角度θ／４をなす延長線Ｌ１´と、前記延長線Ｌ２と交差角度θ／４をなす延長線Ｌ２´とに挟まれた領域Ｓ´に位置していることを特徴とする。
【０００９】
本発明によれば、付け根Ｐ１を、一層効率良く手首側に引き寄せることができ、手に対する良好なフィット感を維持できる。
【００１０】
また、本発明は、付け根Ｐ１と前記弾性帯部材の一端との距離が、５〜２０ｍｍの範囲であることを特徴とする。
【００１１】
本発明によれば、親指と人差し指の付け根付近にさほど突っ張り感等の圧迫感を感じることなく、良好なフィット感となる。
【００１２】
また、本発明は、前記弾性帯部材は、甲の生地の裏側に縫合されたゴム部材であることを特徴とする。
【００１３】
本発明によれば、製造性に優れた手袋となる。弾性帯部材は表面に露出しないので、手袋の意匠性が損なわれることもない。
【発明の効果】
【００１４】
本発明によれば、ずれにくく、手に対するフィット感の良好な手袋となる。
【図面の簡単な説明】
【００１５】
【図１】甲側から見た手袋の平面図である。
【図２】図１のＡ−Ａ断面図である。
【図３】親指部と人差し指部との付け根周りの拡大平面図である。
【発明を実施するための形態】
【００１６】
本発明に係る手袋の実施の形態を図面に基づいて説明する。図１において、手袋１は、手の甲側の大部分を占める通気性の良い薄生地部１１と、各指部の縁周りと手首近傍に形成される厚生地部１２とを備えている。薄生地部１１は例えばポリエステルからなり、厚生地部１２は例えばポリウレタン合皮からなる。なお、手の腹側は全て厚生地部１２から構成されている。手袋１は、主に作業用手袋として使用される。手首部にはベロクロファスナにより係脱し、手袋１の抜けを防止するためのベルト部１３が備わっている。しかし、本発明においてベルト部１３の有無は問わない。
【００１７】
手の甲側であって、親指部２と人差し指部３との付け根Ｐ１を基点とする親指辺５の延長線Ｌ１と、付け根Ｐ１を基点とする人差し指辺６の延長線Ｌ２と、中指部４と薬指部１０との付け根Ｐ２を基点とする中指部辺７の延長線Ｌ３と、で囲まれた領域Ｓには、弾性帯部材８が備わっている。弾性帯部材８は、一端が付け根Ｐ１に指向し、他端が手首部に指向している。
【００１８】
弾性帯部材８は、例えば、甲の生地の裏側に縫合された平帯状のゴム部材からなる。本実施形態の手袋１は、付け根Ｐ１あたりから手首部にかけて厚生地部１２が形成されており、弾性帯部材８は、この厚生地部１２に縫合されている。縫製態様は、例えば、縫合箇所の生地を縮めた状態で、生地裏に弾性帯部材８をあてがい、ジグザグ状に縫合する。符号９は縫合糸を示す。これにより、図２に示すように、縫合周りの手袋１の甲側の生地は若干波打つような形状となる。
【００１９】
図３に示すように、延長線Ｌ１と延長線Ｌ２との交差角度をθとしたとき、弾性帯部材８は、延長線Ｌ１と交差角度θ／４をなす延長線Ｌ１´と、延長線Ｌ２と交差角度θ／４をなす延長線Ｌ２´とに挟まれた領域Ｓ´に位置することが、より好ましい。
【００２０】
また、付け根Ｐ１と弾性帯部材８の一端との距離Ｔは、５〜２０ｍｍの範囲とすることが好ましい。また、弾性帯部材８の長さは、２０〜５０ｍｍ程度である。
【００２１】
「作用」
手袋１を手に装着したとき、縮んでいた弾性帯部材８の縫合部周りの生地が手にフィットするように伸びた状態となり、このとき弾性帯部材８には長手方向に若干の引っ張り力が作用する。この引っ張り力によって生ずる弾性帯部材８の弾性復元力により、付け根Ｐ１が手首側に常に引き寄せられる状態となる。弾性帯部材８は、延長線Ｌ１と延長線Ｌ２と延長線Ｌ３とで囲まれた領域Ｓに、一端が付け根Ｐ１に指向し、他端が手首部に指向するように配置されているので、付け根Ｐ１が効率良く手首側に引き寄せられる。これにより、物をつかんだり離したりの動作を繰り返し行う結果、付け根Ｐ１周りが次第に手からずれていきそうになっても、付け根Ｐ１が弾性帯部材８によって常に手首側に引き寄せられるため、手袋１の付け根Ｐ１のずれを阻止でき、手に対する良好なフィット感を維持できる。
【００２２】
また、弾性帯部材８を、延長線Ｌ１´とＬ２´とに挟まれた領域Ｓ´に位置させれば、
付け根Ｐ１を、一層効率良く手首側に引き寄せることができる。
【００２３】
さらに、付け根Ｐ１と弾性帯部材８の一端との距離Ｔを５〜２０ｍｍの範囲とすれば、付け根Ｐ１に作用する弾性帯部材８の弾性復元力が過度に大きくなることもない。したがって、使用者は、親指と人差し指の付け根付近にさほど突っ張り感等の圧迫感を感じることがなく、良好なフィット感を維持できる。
【００２４】
また、弾性帯部材８を、甲の生地の裏側に縫合されたゴム部材とすれば、製造性に優れた手袋１となる。弾性帯部材８は表面に露出しないので、手袋の意匠性が損なわれることもない。
【００２５】
以上、本発明の好適な実施形態を説明した。説明した手袋１は、薄生地部１１と厚生地部１２とから構成された手袋であるが、単一素材の生地からなる手袋であってもよい。
また、弾性帯部材８は接着剤により生地に貼着された構造であってもよい。
【符号の説明】
【００２６】
１      手袋
２      親指部
３      人差し指部
４      中指部
８      弾性帯部材
【図１】
2016196720.tif 000003
【図２】
2016196720.tif 000004
【図３】
2016196720.tif 000005